【手続補正書】
【提出日】平成22年12月21日(2010.12.21)
【手続補正１】
【補正対象書類名】特許請求の範囲
【補正対象項目名】全文
【補正方法】変更
【補正の内容】
【特許請求の範囲】
【請求項１】
透明な標本保持部材を通して観察又は撮像される標本と、
前記標本保持部材の厚さ誤差を補正する収差補正レンズを備えた収差補正機能付対物レンズと、
前記収差補正レンズを光軸方向に移動させる収差補正レンズ移動手段と、
前記標本保持部材と前記収差補正機能付対物レンズとの間隔を変化させる焦準手段と、
前記収差補正機能付対物レンズとともに前記標本の顕微像を得る結像レンズと、
前記結像レンズの結像面に配置された撮像手段と、
前記焦準手段により前記標本にピントが合わせられた後、前記収差補正レンズ移動手段により前記収差補正レンズが所定間隔で移動される毎に前記撮像手段により前記標本の顕微像が撮影され、得られた複数の撮影画像をモニター画面上に並べて表示させる表示手段と、
前記撮像手段により前記標本の顕微像が撮影された時点の前記収差補正レンズの位置を表す位置データを、当該撮影された時点に得られた撮影画像に関連付けて記憶する記憶手段と、
前記表示手段により前記モニター画面上に並べて表示された複数の撮影画像の中から任意の撮影画像を選択する画像選択手段と、
前記画像選択手段により選択された撮影画像が撮影された時点の前記収差補正レンズの位置を表す位置データを前記記憶手段から読み出し、当該位置データが表す位置へ前記収差補正レンズを移動させる位置再現手段と、
を具備したことを特徴とする顕微鏡システム。
【請求項２】
前記記憶手段は、予め取得されている、前記収差補正レンズの移動による前記収差補正機能付対物レンズのピントズレ量を表すピントズレ量データを、更に記憶し、
前記表示手段は、前記焦準手段により前記標本にピントが合わせられた後、前記収差補正レンズ移動手段により前記収差補正レンズが前記所定間隔で移動される毎に、対応するピントズレ量データが前記記憶手段から読み出され、前記標本にピントが合わせられた位置から前記ピントズレ量データが表すピントズレ量の分だけ前記焦準手段により前記標本保持部材と前記収差補正機能付対物レンズとの間隔が変化され、さらに前記撮像手段により前記標本の顕微像が撮影され、得られた複数の撮影画像をモニター画面上に並べて表示させ、
前記位置再現手段は、前記画像選択手段により選択された撮影画像が撮影された時点の前記収差補正レンズの位置を表す位置データを前記記憶手段から読み出し、当該位置データが表す位置へ前記収差補正レンズを移動させるとともに、対応するピントズレ量データを前記記憶手段から読み出し、当該ピントズレ量データが表すピントズレ量の分だけ前記標本保持部材と前記収差補正機能付対物レンズとの間隔を変化させる、
ことを特徴とする請求項１記載の顕微鏡システム。
【請求項３】
前記撮像手段が前記標本の顕微像撮影を終了した時点の直前の前記収差補正レンズの移動方向と、前記位置再現手段が前記記憶手段から読み出した位置データが表す位置へ前記収差補正レンズの移動を終了した時点の直前の前記収差補正レンズの移動方向は、同一方向である、
ことを特徴とする請求項１又は２記載の顕微鏡システム。
【請求項４】
前記焦準手段が前記標本へのピント合わせを終了した時点の直前の前記焦準手段の駆動方向と、前記撮像手段が前記標本の顕微像撮影を終了した時点の直前の前記焦準手段の駆動方向と、前記位置再現手段が前記標本保持部材と前記収差補正機能付対物レンズとの間隔を変化させることを終了した時点の直前の前記焦準手段の駆動方向は、同一方向である、
ことを特徴とする請求項３記載の顕微鏡システム。
【請求項５】
前記表示手段は、前記モニター画面上に並べて表示させた複数の撮影画像の中の一つの撮影画像に対して範囲が指定されて拡大指示が行われると、当該撮影画像の指定された範囲を拡大した画像と、前記モニター画面上に並べて表示させた他の全ての撮影画像の各々の前記範囲に対応する範囲を拡大した画像とを、前記モニター画面上に並べて表示させる、
ことを特徴とする請求項１乃至４の何れか一項記載の顕微鏡システム。
【請求項６】
前記撮像手段が前記標本の顕微像を撮影する時のみ、励起光が前記標本を励起するように照明光のシャッターを開き、前記撮像手段が前記標本の顕微像を撮影する時以外は、前記シャッターを閉じる、
ことを特徴とする請求項１乃至５の何れか一項記載の顕微鏡システム。
【請求項７】
透明な標本保持部材を通して観察又は撮像される標本と、前記標本保持部材の厚さ誤差を補正する収差補正レンズを備えた収差補正機能付対物レンズと、前記収差補正レンズを光軸方向に移動させる収差補正レンズ移動手段と、前記標本保持部材と前記収差補正機能付対物レンズとの間隔を変化させる焦準手段と、前記収差補正機能付対物レンズとともに前記標本の顕微像を得る結像レンズと、前記結像レンズの結像面に配置された撮像手段と、を含む顕微鏡システムの制御方法であって、
前記焦準手段が前記標本にピントを合わせ、
前記収差補正レンズ移動手段が前記収差補正レンズを所定間隔で移動させる毎に、前記撮像手段が前記標本の顕微像を撮影し、当該撮影時の前記収差補正レンズの位置を表す位置データを当該撮影により得られた撮影画像に関連付けて記憶手段に記憶し、
得られた複数の撮影画像をモニター画面上に並べて表示させ、
前記モニター画面上に並べて表示された複数の撮影画像の中から任意の撮影画像を選択し、
選択された撮影画像が撮影された時点の前記収差補正レンズの位置を表す位置データを前記記憶手段から読み出し、当該位置データが表す位置へ前記収差補正レンズを移動させる、
ことを特徴とする顕微鏡システムの制御方法。
【請求項８】
透明な標本保持部材を通して観察又は撮像される標本と、前記標本保持部材の厚さ誤差を補正する収差補正レンズを備えた収差補正機能付対物レンズと、前記収差補正レンズを光軸方向に移動させる収差補正レンズ移動手段と、前記標本保持部材と前記収差補正機能付対物レンズとの間隔を変化させる焦準手段と、前記収差補正機能付対物レンズとともに前記標本の顕微像を得る結像レンズと、前記結像レンズの結像面に配置された撮像手段と、を含む顕微鏡システムの制御方法であって、
前記収差補正レンズの移動による前記収差補正機能付対物レンズのピントズレ量を表すピントズレ量データを記憶手段に記憶し、
前記焦準手段が前記標本にピントを合わせ、
前記収差補正レンズ移動手段が前記収差補正レンズを所定間隔で移動させる毎に、対応するピントズレ量データを前記記憶手段から読み出し、前記標本にピントが合わせられた位置から前記ピントズレ量データが表すピントズレ量の分だけ前記焦準手段が前記標本保持部材と前記収差補正機能付対物レンズとの間隔を変化させ、さらに前記撮像手段が前記標本の顕微像を撮影し、当該撮影時の前記収差補正レンズの位置を表す位置データを当該撮影により得られた撮影画像に関連付けて前記記憶手段に記憶し、
得られた複数の撮影画像をモニター画面上に並べて表示させ、
前記モニター画面上に並べて表示された複数の撮影画像の中から任意の撮影画像を選択し、
選択された撮影画像が撮影された時点の前記収差補正レンズの位置を表す位置データを前記記憶手段から読み出し、当該位置データが表す位置へ前記収差補正レンズを移動させるとともに、対応するピントズレ量データを前記記憶手段から読み出し、当該ピントズレ量データが表すピントズレ量の分だけ、前記標本保持部材と前記収差補正機能付対物レンズとの間隔を変化させる、
ことを特徴とする顕微鏡システムの制御方法。 
【手続補正２】
【補正対象書類名】明細書
【補正対象項目名】００１１
【補正方法】変更
【補正の内容】
【００１１】
本発明の第４の態様に係る顕微鏡システムは、上記第３の態様において、前記焦準手段
が前記標本へのピント合わせを終了した時点の直前の前記焦準手段の駆動方向と、前記撮
像手段が前記標本の顕微像撮影を終了した時点の直前の前記焦準手段の駆動方向と、前記
位置再現手段が前記標本保持部材と前記収差補正機能付対物レンズとの間隔を変化させる
ことを終了した時点の直前の前記焦準手段の駆動方向は、同一方向である、ことを特徴と
する。